(57)【要約】【課題】小型化が要求される挿耳形補聴器のような機器にも適用できるマイクロホン用の防水構造を提供する。【解決手段】ケース体３に収納されたマイクロホン８の音口８ａへケース体３の音口５から水滴などが浸入するのを防止するマイクロホン用の防水構造であって、音導入路１２を介してマイクロホン８の音口８ａに外部音を導くケース体３の音口５に撥水加工したメッシュ状の防水膜７を張設すると共に、防水膜７とマイクロホン８との間に所定の空間１１を設けた。【選択図】        図２
2004235870.tif 000002
【特許請求の範囲】
【請求項１】
ケース体に収納されたマイクロホンの音口へ前記ケース体の音口から水滴などが浸入するのを防止するマイクロホン用の防水構造であって、音導入路を介して前記マイクロホンの音口に外部音を導く前記ケース体の音口に撥水加工したメッシュ状の防水膜を張設したことを特徴とするマイクロホン用の防水構造。
【請求項２】
前記防水膜と前記マイクロホンとの間に所定の空間を設けた請求項１記載のマイクロホン用の防水構造。
【請求項３】
前記防水膜は、前記ケース体の音口に嵌合する貫通孔を形成したマイクキャップに張設した請求項１又は２記載のマイクロホン用の防水構造。
【請求項４】
前記ケース体の音口と前記マイクロホンの音口とがオフセットして配設されている請求項１，２又は３記載のマイクロホン用の防水構造。
【請求項５】
前記防水膜を前記マイクロホンの音口が形成される面にも直接張設した請求項１、２、３又は４記載のマイクロホン用の防水構造。
【発明の詳細な説明】
【０００１】
【発明の属する技術分野】
本発明は、例えば補聴器に適用するマイクロホン用の防水構造に関する。
【０００２】
【従来の技術】
従来、マイクロホン用の防水構造としては、耳かけ式補聴器において、四フッ化エチレン樹脂でなる連続多孔性、防水性の膜状部材（例えば、登録商標：ゴアテックス）をマイクロホンの音口を直接塞がないように音口から離してマイクロホンを収納するケース体に配設し、膜状部材が音のマイクロホンの音口への進入を妨げることなく、また音響特性を変えることなくマイクロホンを水滴や汗などから保護するマイクロホン用の防滴装置が知られている（例えば、特許文献１参照）。
【０００３】
また、マイクロホンの音口と嵌合する防水性を有する弾性材でなるパッキングと、音を通すが水分は通さない防水膜を有する防水部材と、防水部材をパッキングの方向に押圧して圧着させる圧着部材とをマイクロホンを収納するケースに設けたことにより、マイクロホンへの水分の浸入を確実に防止したマイクロホン用防水装置が知られている（例えば、特許文献２参照）。
【０００４】
【特許文献１】
実公平２−１２７８１号公報
【特許文献２】
特許第２８６９５０５号公報
【０００５】
【発明が解決しようとする課題】
しかし、特許文献１や特許文献２に記載の音を通すが水分は通さないという機能を有する膜状部材や防水膜は、その機能を損なうことがない十分な設置スペースを設けることができる耳かけ式補聴器などには適用できるが、前記機能を発揮することができる十分な設置スペースを設けることができない小型化が要求される挿耳形補聴器のような機器には適用できないという問題がある。
【０００６】
本発明は、従来の技術が有するこのような問題点に鑑みてなされたものであり、その目的とするところは、小型化が要求される挿耳形補聴器のような機器にも適用できるマイクロホン用の防水構造を提供しようとするものである。
【０００７】
【課題を解決するための手段】
上記課題を解決すべく請求項１に係る発明は、ケース体に収納されたマイクロホンの音口へ前記ケース体の音口から水滴などが浸入するのを防止するマイクロホン用の防水構造であって、音導入路を介して前記マイクロホンの音口に外部音を導く前記ケース体の音口に撥水加工したメッシュ状の防水膜を張設すると共に、前記防水膜とマイクロホンとの間に所定の空間を設けた。
【０００８】
請求項２に係る発明は、請求項１記載のマイクロホン用の防水構造において、前記防水膜と前記マイクロホンとの間に所定の空間を設けた。
【０００９】
請求項３に係る発明は、請求項１又は２記載のマイクロホン用の防水構造において、前記防水膜を前記ケース体の音口に嵌合する貫通孔を形成したマイクキャップに張設した。
【００１０】
請求項４に係る発明は、請求項１、２又は３記載のマイクロホン用の防水構造において、前記ケース体の音口と前記マイクロホンの音口とがオフセットして配設されている。
【００１１】
請求項５に係る発明は、請求項１、２、３又は４記載のマイクロホン用の防水構造において、前記防水膜を前記マイクロホンの音口が形成される面にも直接張設した。
【００１２】
【発明の実施の形態】
以下に本発明の実施の形態を添付図面に基づいて説明する。ここで、図１は本発明に係るマイクロホン用の防水構造を適用した挿耳形補聴器の一部分解斜視図、図２は同じく部分断面斜視図、図３は挿耳形補聴器の横断面図、図４は挿耳形補聴器の縦断面図、図５は挿耳形補聴器の要部部分断面斜視図、図６はケース体の音口とマイクロホンの音口との位置関係を示す概略平面図、図７は別実施の形態を適用した挿耳形補聴器の横断面図、図８は同じ縦断面図である。
【００１３】
本発明に係るマイクロホン用の防水構造を適用した挿耳形補聴器は、図１又は図２に示すように、樹脂製のシェル１とフェースプレート２でケース体３を形成し、ケース体３の内部にボタン形の空気電池を収納する電池ホルダ４を設けている。
【００１４】
また、ケース体３の音口５にマイクキャップ６が嵌合している。マイクキャップ６は肉厚の円筒形状に形成され、その貫通孔６ａを塞ぐように防水膜７がマイクキャップ６に挟まれた状態で張設されている。防水膜７はメッシュ状の繊維材で撥水加工が施されている。
【００１５】
更に、ケース体３の内部には、マイクロホン８、不図示の補聴処理部やイヤホンなどの補聴器を構成する部品が配設されている。なお、９，１０は電池収納部に配設された電池接片である。
【００１６】
また、マイクキャップ６をケース体３の音口５に嵌合させた状態では、図３及び図４に示すように、マイクキャップ６とマイクロホン８との間に空間１１が形成されると共に、外部音をケース体３の音口５からマイクロホン８の音口に導く音導入路１２が形成される。
【００１７】
また、ケース体３の音口５とマイクロホン８の音口とは、オフセットさせて配設されているので、図５及び図６に示すように、音口５に嵌合されるマイクキャップ６の貫通孔６ａとマイクロホン８の音口８ａも、それらが図６の紙面垂直方向から見て重ならないよう、オフセットさせて配設されている。
【００１８】
以上のように構成した本発明に係るマイクロホン用の防水構造を適用した挿耳形補聴器の動作について説明する。
水滴などの液体がマイクキャップ６の貫通孔６ａに浸入しても、通常は撥水加工されたメッシュ状の防水膜７に阻まれてマイクキャップ６とマイクロホン８との間に形成されている空間１１に浸入することはない。
【００１９】
また、例え水滴がメッシュ状の防水膜７を通って空間１１内に浸入したとしても、防水膜７を通過した水滴は空間１１内で表面張力の作用により粒状になって固まり、音導入路１２を進んでマイクロホン８の音口８ａに至る可能性は低い。
【００２０】
しかも、マイクキャップ６の貫通孔６ａとマイクロホン８の音口８ａとはオフセットさせて配設されているので、防水膜７を通過した水滴が直ちにマイクロホン８の音口８ａに浸入する可能性は極めて低い。
【００２１】
このように、撥水加工されたメッシュ状の防水膜７を用いたので、挿耳形補聴器のように限られた狭いスペースに張設しても音響特性を損なうことなく水滴の浸入を阻止することができる。
【００２２】
次に、本発明に係るマイクロホン用の防水構造についての別実施の形態を適用した挿耳形補聴器は、図７又は図８に示すように、マイクロホン８の音口８ａが形成される面にも撥水加工されたメッシュ状の防水膜１７を直接張設している。その他の構成は、図１乃至図６に示す実施の形態と同様などで説明は省略する。
【００２３】
このように、マイクロホン８の音口８ａが形成される面にも撥水加工されたメッシュ状の防水膜１７を直接張設することにより、水滴がマイクキャップ６に挟んだ状態で張設される防水膜７を通過しても、水滴は更なる防水膜１７によってマイクロホン８の音口８ａに浸入するのを妨げられる。
【００２４】
なお、本発明の実施の形態においては、本発明に係るマイクロホン用の防水構造を挿耳形補聴器に適用した場合について説明した。しかし、本発明はマイクロホンを使用するのであれば、挿耳形補聴器以外の補聴器、更にその他の電子機器にも適用できる。
【００２５】
【発明の効果】
以上説明したように請求項１に係る発明によれば、撥水加工されたメッシュ状の防水膜を用いたので、挿耳形補聴器のように限られた狭いスペースに張設しても音響特性を損なうことなく水滴の浸入を阻止することができる。
【００２６】
請求項２に係る発明によれば、防水膜とマイクロホンとの間に設けた空間により、仮に水滴が防水膜を通過しても空間内で表面張力の作用により粒状になって固まり、音導入路を進んでマイクロホンの音口に至る可能性は低い。
【００２７】
請求項３に係る発明によれば、マイクキャップに防水膜を張設し、このマイクキャップをケース体の音口に嵌合することにより、組立ての作業性向上が図れる。
【００２８】
請求項４に係る発明によれば、ケース体の音口とマイクロホンの音口とがオフセットして配設されているので、防水膜を通過した水滴が直ちにマイクロホンの音口に浸入する可能性を極めて低くすることができる。
【００２９】
請求項５に係る発明によれば、水滴がマイクキャップに挟んだ状態で張設される防水膜を通過しても、更なる防水膜によって水滴がマイクロホンの音口に浸入するのを妨げることができる。
【図面の簡単な説明】
【図１】本発明に係るマイクロホン用の防水構造を適用した挿耳形補聴器の一部分解斜視図
【図２】挿耳形補聴器の部分断面斜視図
【図３】挿耳形補聴器の横断面図
【図４】挿耳形補聴器の縦断面図
【図５】挿耳形補聴器の要部部分断面斜視図
【図６】ケース体の音口とマイクロホンの音口との位置関係を示す概略平面図
【図７】別実施の形態を適用した挿耳形補聴器の横断面図
【図８】別実施の形態を適用した挿耳形補聴器の縦断面図
【符号の説明】
１…シェル、２…フェースプレート、３…ケース体、５…ケース体の音口、６…マイクキャップ、７，１７…防水膜、８…マイクロホン、８ａ…マイクロホンの音口、１１…空間、１２…音導入路。
【図１】
2004235870.tif 000003
【図２】
2004235870.tif 000004
【図３】
2004235870.tif 000005
【図４】
2004235870.tif 000006
【図５】
2004235870.tif 000007
【図６】
2004235870.tif 000008
【図７】
2004235870.tif 000009
【図８】
2004235870.tif 000010